(57)【要約】【課題】ユーザによって額縁が不適切な取付け方をされることを効果的に抑制し、額縁の取付けの有無にかかわらず室内空気の温度、湿度の検出を良好に行う。【解決手段】箱状の筐体１２内に、室内空気が上下方向に流通する流通路を設け、筐体１２の上面正面側寄りに流通口１５を設ける。温度、湿度を検出するセンシング部１３を流通口１５の近傍に設ける。筐体１２の正面１２ａは、表面が斜め下向きとなるように、垂直状態に対して所定角度α（例えば１５°）で傾斜している。筐体１２の下端部に、前方に水平に延び、先端部が上方に折曲げられた左右２個のフック部１４を設ける。筐体１２の正面１２ａ側に額縁１６を取付ける場合には、フック部１４を受け具として利用しながら、額縁１６の背面を筐体１２の正面１２ａに宛がうように取付ける。額縁１６を、筐体１２の上面に載置したり、フック部１４に吊り下げたりして取付けることもできる。【選択図】図１
2010107088.tif 000002
【特許請求の範囲】
【請求項１】
内部に空気が上下方向に流通可能な流通路を有する筐体に、温度を検出するセンシング部を設けて構成され、室内の壁面に、前記筐体の背面が宛がわれた状態で設置される空調用センサ装置であって、
前記筐体は、その上面が、前記壁面から前方への一定以上の突出長さを有する水平状に構成されると共に、その下面は、前記上面より短い突出長さを有しており、それら上面の先端と下面の先端とをつなぐ正面が、表面が斜め下向きとなるように垂直状態に対して所定角度αで傾斜しており、
前記筐体の下端部には、前方に突出する突出部が設けられ、
前記流通路の下端の流通口が、前記筐体の下面において開口していると共に、該流通路の上端の流通口は、前記筐体の上面のうち正面側寄りに位置して開口していることを特徴とする空調用センサ装置。
【請求項２】
前記突出部は、先端部が上方にフック状に折曲げられており、その先端の垂直状態に対する鋭角側の傾斜角度が、前記所定角度αと同等又はそれより小さく構成されていることを特徴とする請求項１記載の空調用センサ装置。
【請求項３】
前記センシング部は、前記流通路のうち上端の流通口近傍の正面側に位置して設けられていることを特徴とする請求項１又は２記載の空調用センサ装置。
【請求項４】
内部に空気が上下方向に流通可能な流通路を有する筐体に、温度を検出するセンシング部を設けて構成され、室内の壁面に、前記筐体の背面が宛がわれた状態で設置される空調用センサ装置であって、
前記筐体の上面は、前記壁面から前方に行くに従って下降する傾斜面とされており、
前記流通路の下端の流通口が、前記筐体の下面において開口していると共に、該流通路の上端の流通口は、前記筐体の上面の傾斜面に、複数個の縦方向に長いスリット穴状に形成されていることを特徴とする空調用センサ装置。
【発明の詳細な説明】
【技術分野】
【０００１】
本発明は、内部に空気が上下方向に流通可能な流通路を有する筐体に、温度を検出するセンシング部を設けて構成され、室内の壁面に、前記筐体の背面が宛がわれた状態で設置される空調用センサ装置に関する。
【背景技術】
【０００２】
例えば一般家屋やマンション等の住宅に設けられる空調システムにおいては、エアコン本体の制御のために、室内の温度（及び湿度）を検出するためのセンサ装置を設けることが行われる。図６に示すように、従来のこの種のセンサ装置１は、矩形箱状をなす筐体２に、その上下両面で開口し、上下方向に室内空気の流通（対流）が可能な流通路を設けると共に、筐体２内に、温度、湿度を検出するセンシング部（いずれも図示せず）を設けて構成される。そして、室内の壁面Ｗの所定の高さ位置（例えば人の身長程度）に、筐体２の背面が宛がわれた状態で設置されるようになっている。
【０００３】
ところで、上記センサ装置１は、室内の壁面Ｗに設置され、ユーザ（住人）の目に触れることが多くなっているものの、インテリア面での考慮が十分になされていないのが実情であった。そこで、ユーザ側において、例えばセンサ装置１を隠しながら、室内（壁面Ｗ）の装飾性を高めたいという要望があり、この場合例えば図６に示すように、ユーザが好きな絵画や写真などを収容した額縁３を、筐体２の前面に取付けてセンサ装置１を隠蔽することが考えられる。
【０００４】
尚、空調用の装置とは異なるものの、例えば、特許文献１には、額縁の裏面側に箱状の収納部を設け、その収納部に、蛍光灯に加え、温度センサや警報器を設けること、つまり、絵画等を飾るための額縁に、温度センサを含む火災警報器を組込んでしまう構成が考えられている。しかし、この特許文献１の構成では、装置が大がかりで高価なものとなってしまうと共に、ユーザの好みにあった大きさや種類の額縁を自由に選べないなどの不具合があり、現実的には採用できるものではなかった。
【特許文献１】実開昭６４−７３９４号公報
【発明の開示】
【発明が解決しようとする課題】
【０００５】
上記したように、センサ装置１が設置された壁面Ｗに対し、いわば後付けで額縁３を取付ける場合、図６に示したように、額縁３の背面を筐体２の前面に倣う（重ねる）ように取付けた場合には、特に問題は生じないが、額縁３の取付け方はユーザが自由に決めることができるものであるため、図７に例示するように、センサ装置１にとって不適切な取付け方をされる虞がある。
【０００６】
即ち、図７（ａ）に示すように、額縁３を、その背面の中間部が、筐体２の正面（前面）の下辺部に当たるように斜め下向きに配置したり、あるいは、図７（ｂ）に示すように、額縁３を、その背面の中間部が、筐体２の正面（前面）の上辺部に当たるように斜め上向きに配置したりして取付ける場合が考えられる。これらの場合には、筐体２の流通路に対する室内空気の流通が、額縁３によって阻害されてしまう問題点がある。
【０００７】
また、センサ装置１を隠蔽するものではないが、図７（ｃ）に示すように、筐体２の上面を、額縁３の下辺を受ける受け具（台）として利用するように、額縁３を取付けることも考えられる。この場合も、筐体２の上面の流通口が額縁３で塞がれ、流通路に対する室内空気の流通が阻害されてしまう。このように、額縁３の取付けによってセンサ装置１の流通路に対する空気の流れが阻害されてしまうことがあると、額縁３がない場合に比べ、センシング部における室内空気の温度、湿度の検出精度が低下し、空調制御に悪影響を及ぼす不具合が生ずる。
【０００８】
本発明は上記事情に鑑みてなされたもので、その目的は、壁面に設置されるものにあって、該壁面に装飾のためにユーザによって額縁が取付けられる場合でも、不適切な取付け方をされることを効果的に抑制することができ、額縁の取付けの有無にかかわらず室内空気の温度、湿度の検出を良好に行うことができる空調用センサ装置を提供するにある。
【課題を解決するための手段】
【０００９】
上記目的を達成するために、本発明の第１の空調用センサ装置は、内部に空気が上下方向に流通可能な流通路を有する筐体に、温度を検出するセンシング部を設けて構成され、室内の壁面に、前記筐体の背面が宛がわれた状態で設置されるものであって、前記筐体は、その上面が、前記壁面から前方への一定以上の突出長さを有する水平状に構成されると共に、その下面は、前記上面より短い突出長さを有しており、それら上面の先端と下面の先端とをつなぐ正面が、表面が斜め下向きとなるように垂直状態に対して所定角度αで傾斜しており、前記筐体の下端部には、前方に突出する突出部が設けられ、前記流通路の下端の流通口が、前記筐体の下面において開口していると共に、該流通路の上端の流通口は、前記筐体の上面のうち正面側寄りに位置して開口している構成に特徴を有する（請求項１の発明）。
【００１０】
この構成によれば、ユーザが、室内の壁面に設置された空調用センサ装置を隠すように筐体の正面側に所望の額縁を取付ける場合には、額縁の下辺部を突出部に支持させるようにしながら、つまり突出部を受け具として利用しながら、正面を下方にやや傾斜させながら取付けることになる。この第１のケースでは、額縁が筐体の下方には来ないので、流通路の下端の流通口が塞がれたりすることはなく、また、筐体の上面の上方には空気の流通に十分な空間が確保される。
【００１１】
また、ユーザが、筐体を隠すことを目的とせず筐体を利用して所望の額縁を取付ける場合には、筐体の上面を台として、額縁の下辺部を筐体の上面に載置して取付けることができる。この第２のケースでは、額縁及び筐体は、生活空間内に配置されるので、通常の生活で額縁が落下してくるような不安定な置き方は敬遠される。よって、額縁の下辺部は、筐体上面と壁面との交差点となる筐体上面の背面側に設置され、額縁を筐体上面と壁面とで支えるようにされる。このとき、流通路の上端の流通口が筐体の上面のうち正面側寄りに位置して開口しているので、筐体の上面のうち背面側（壁面側）に載置される額縁により、流通路の上端の流通口が塞がれることを未然に防止できる。流通路の下端の流通口（筐体の下面）が塞がれることがないことは勿論である。
【００１２】
あるいは、筐体を利用して所望の額縁を取付ける場合、前記突出部を吊下げ具（フック）として、紐などを掛けて額縁を吊り下げて取付けることもできる。この第３のケースでも、流通路の下端の流通口（筐体の下面）や上端の流通口（筐体の上面）が塞がれたりすることはない。従って、上記３つのケースでは、いずれも、壁面に装飾のためにユーザによって額縁が取付けられた場合における筐体内の流通路の空気の流通（対流）を確保することができる。
【００１３】
つまり、本発明の第１の空調用センサ装置は、額縁を取付ける際に、筐体等の構造自体が、空気の流通を阻害するような不適切な取付け方をされることを抑制する効果に優れたものとなっており、額縁が取付けられた場合でも、額縁が取付けられない場合と同じように、流通路における室内空気の流通を確保することができる。この結果、センシング部による室内空気の温度、湿度の高い検出精度を維持することができ、空調制御に悪影響を及ぼすことを未然に防止することができる。
【００１４】
尚、本発明の空調用センサ装置は、室内の壁面のうち、人の身長（あるいは顔）前後の高さに設置されることが一般的である。上記した所定角度αは、人が額縁を見る際に見やすい角度とすべきであり、それは、１０°〜２０°くらいとなる。
【００１５】
このとき、上記突出部の先端部を上方にフック状に折曲げ、その先端の垂直状態に対する鋭角側の傾斜角度を、前記所定角度αと同等又はそれより小さく構成することができる（請求項２の発明）。これによれば、突出部の先端部分を、額縁の下辺部を受ける受け具として、あるいは紐等を掛けるためのフックとしての機能を果たすに適した形状とすることができ、また、突出部の先端が正面方向を向いていないので、人等に対する安全性も高いものとなる。
【００１６】
さらには、上記センシング部を、前記流通路のうち上端の流通口近傍の正面側に位置して設ける構成とすることもできる（請求項３の発明）。これによれば、空気の流れの最も良い部分にセンシング部が配置されることになり、室内空気の温度、湿度をより正確に検出することができる。
【００１７】
本発明の第２の空調用センサ装置は、内部に空気が上下方向に流通可能な流通路を有する筐体に、温度を検出するセンシング部を設けて構成され、室内の壁面に、前記筐体の背面が宛がわれた状態で設置されるものであって、前記筐体の上面は、前記壁面から前方に行くに従って下降する傾斜面とされており、前記流通路の下端の流通口が、前記筐体の下面において開口していると共に、該流通路の上端の流通口は、前記筐体の上面の傾斜面に、複数個の縦方向に長いスリット穴状に形成されている構成に特徴を有する（請求項４の発明）。
【００１８】
これによれば、ユーザが、所望の額縁を取付けるにあたり、筐体の上面を台として、額縁の下辺部を筐体の上面に載置しようとしても、筐体の上面は、壁面から前方に行くに従って下降する傾斜面とされているので、額縁の下辺部を載置した状態で取付けることは難しくなる。このとき、流通路の上端の流通口が筐体の上面の傾斜面に、複数個の縦方向に長いスリット穴状に形成されていることにより、筐体の上面は、上下（前後）方向により一層滑りやすいものとなる。
【００１９】
この場合、額縁の背面を筐体の正面に倣う（重ねる）ように取付けることはでき、このケースでは、流通路の下端の流通口や上端の流通口が塞がれたりすることはなく、装飾のためにユーザによって額縁が取付けられた場合における筐体内の流通路の空気の流通（対流）を確保することができる。また、筐体の上面に埃が溜まりにくくなるメリットも得ることができる。
【００２０】
従って、本発明の第２の空調用センサ装置は、額縁を取付ける際に、筐体等の構造自体が、空気の流通を阻害するような不適切な取付け方をされることを抑制する効果に優れたものとなっており、額縁が取付けられた場合でも、額縁が取付けられない場合と同じように、流通路における室内空気の流通を確保することができる。この結果、センシング部による室内空気の温度、湿度の高い検出精度を維持することができ、空調制御に悪影響を及ぼすことを未然に防止することができる。
【発明を実施するための最良の形態】
【００２１】
以下、本発明の第１の実施例について、図１ないし図３を参照しながら説明する。本実施例に係る空調用センサ装置１１は、図１〜図３に示すように、住宅の室内の垂直な壁面Ｗに、筐体１２の背面が宛がわれた状態で設置されるものであり、以下の説明において、前後、左右、上下の方向をいう場合には、その壁面Ｗに向かって見た状態を正面として述べることとする。
【００２２】
本実施例の空調用センサ装置１１は、ほぼ矩形箱状に構成されたプラスチック製の筐体１２内に、室内の空気の温度（本実施例では温度及び湿度の双方）を検出するセンシング部１３を設けて構成されている。筐体１２の構成については、後に詳述する。このとき、筐体１２内には室内の空気が上下方向に流通（対流）する流通路が設けられ、センシング部１３はその流通路に臨んで、室内空気の温度、湿度を検出するようになっている。
【００２３】
尚、詳しく図示はしないが、前記センシング部１３は、回路基板に、例えばサーミスタ温度センサ等の温度センサ及びサーミスタ絶対湿度センサ等の湿度センサを実装して構成されている。また、前記回路基板には、それらセンサに対する通電やセンサからの信号を処理するための信号処理回路等が実装されている。さらに、この空調用センサ装置１１（センシング部１３）による温度、湿度の検出信号は、空調システムのコントローラに入力されるようになっており、その信号に基づいて、エアコン本体が制御されるようになっている。
【００２４】
さて、前記筐体１２について述べる。この筐体１２は、背面、正面、上面、下面、左右の側面を有する箱状に構成されているのであるが、そのうち背面は、四角形状をなし、前記壁面Ｗに宛がわれるようになっている。筐体１２の上面は、前記壁面Ｗから前方に一定以上の突出長さ寸法ｔ（図１（ｂ）参照）を有する水平面状とされている。この場合、寸法ｔは、例えば４０〜６０ｍｍとされる。筐体１２の下面は、やはり水平面状とされるのであるが、前記壁面Ｗから前方への突出長さが、上記上面の寸法ｔよりも短く（例えば２５ｍｍ）なっている。
【００２５】
従って、それら上面の先端と下面の先端とをつなぐ筐体１２の正面１２ａは、表面が斜め下向きとなるように、垂直状態に対して所定角度α（図１（ｃ）参照）で傾斜している。このとき、角度αは、１０°以上、２０°以下の範囲内、例えば１５°とされている。尚、筐体１２の左右の側面は、上記背面、正面１２ａ、上下面に対応した台形状をなしていることは勿論である。
【００２６】
そして、前記筐体１２の下端部には、突出部としてのフック部１４がこの場合左右に２個設けられている。これらフック部１４，１４は、前後方向に細長い板状をなすと共に、筐体１２の下面から前方に水平に延び、その先端部が上方にフック状に折曲げられている。図１（ｃ）に示すように、このフック部１４の先端の折曲げ角度β（垂直状態に対する鋭角側の傾斜角度）は、前記筐体１２の正面１２ａの傾斜角度αと同等に（又はそれよりもやや小さく）構成されている。尚、フック部１４の水平方向に延びる部分の前後方向の長さ寸法は、一般的な額縁１６の下辺部を載置できる程度とされている。
【００２７】
さらに、前記筐体１２内には、上述のように、室内の空気が上下方向に流通する流通路が設けられているのであるが、図示はしないが、筐体１２の下面においては、前記流通路の下端となる流通口が、ほぼ全体に渡って設けられて（開口して）いる。これに対し、図２（ａ）、図３（ａ）に示すように、筐体１２の上面においては、前記流通路の上端となる流通口１５が、正面側寄りに位置して設けられて（開口して）いる。本実施例では、この流通口１５は、前後方向に延びる複数個のスリット状の穴とされている。そして、本実施例では、図２（ｂ）等に示すように、前記センシング部１３は、流通路のうち上端の流通口１５の近傍の正面側に位置して設けられている。
【００２８】
次に、上記構成の作用・効果について述べる。上記構成の空調用センサ装置１１は、室内の壁面Ｗの、人の身長（あるいは顔部分）程度の高さ位置に、筐体１２の背面が宛がわれた状態で設置される。このとき、センサ装置１１部分に額縁１６を飾ったりすることがない状態では、室内の空気は、例えば対流により、筐体１２内を上下方向に延びる流通路を常に流通するようになり、センシング部１３により、室内空気の温度及び湿度の検出を正確に行うことができる。
【００２９】
ここで、上記空調用センサ装置１１は、筐体１２自体についてはインテリア面での考慮が十分になされていないため、ユーザは、壁面Ｗに、好きな絵画や写真などを収容した額縁１６を飾ることによって、室内（壁面Ｗ）の装飾性を高めたいという要望がある。このとき、空調用センサ装置１１が設置された壁面Ｗに対し、いわば後付けで額縁１６を取付けるにあたっては、額縁１６の取付け方はユーザが自由に決めることができ、以下に述べるように、３つのケースが考えられる。
【００３０】
即ち、まず第１のケースとして、図１（ａ），（ｂ）に示すように、空調用センサ装置１１を隠すように筐体１２の正面１２ａ側に所望の額縁１６を取付ける場合が考えられる。この第１のケースでは、額縁１６の下辺部をフック部１４，１４に支持させる（載置する）ようにしながら、つまりフック部１４，１４を受け具として利用しながら、額縁１６の背面を筐体１２の正面１２ａに宛がうように、額縁１６を同等の角度（角度α）で傾斜させながら取付けることになる。
【００３１】
この第１のケースでは、筐体１２の正面１２ａを隠しながら、額縁１６を人にとって見やすい角度で取付けることができる。そして、額縁１６が筐体１２の下方に来ることはないので、流通路の下端の流通口が塞がれたりすることはなく、また、筐体１２の上面（流通口１５）の上方には空気の流通に十分な空間が確保される。従って、筐体１２内の流通路に対する室内空気の良好な流通が確保され、額縁１６を取付けない場合と同様に、センシング部１３により、室内空気の温度及び湿度の検出を正確に行うことができる。
【００３２】
また、ユーザが、空調用センサ装置１１を隠すことを特に意識せず、筐体１２を利用して所望の額縁１６を取付ける場合には、次の第２、第３の２つのケースが考えられる。まず、第２のケースとして、図２に示すように、筐体１２の上面を台として、額縁１６の下辺部を筐体１２の上面に載置して取付けることが考えられる。この場合、額縁１６は、その上部が紐様のもの（図示省略）で壁面Ｗに掛けられ、人が見やすい角度θ（図２（ｂ）参照）、例えば１５°程度下降傾斜させて取付けられる。
【００３３】
この第２のケースでは、額縁１６及び筐体１２は、生活空間内に配置されるので、通常の生活で額縁１６が落下してくるような不安定な置き方は敬遠される。よって、必然的に、額縁１６の下辺部は、筐体１２上面と壁面Ｗとの交差点となる筐体１２の上面のうち背面側（壁面側）に来るように配置され、額縁１６の下辺部を筐体１２上面と壁面Ｗとで支えるようにされる。
【００３４】
この第２のケースでは、筐体１２の流通路の下端の流通口（筐体１２の下面）が塞がれたりすることがないことは勿論、これと共に、額縁１６の下辺部は筐体１２の上面のうち背面側（壁面側）、つまり、流通路の上端の流通口１５が形成されていない部分に配置されることになる。従って、額縁１６により流通路の上端の流通口１５が塞がれることが未然に防止され、やはり、筐体１２内の流通路に対する室内空気の良好な流通が確保され、額縁１６を取付けない場合と同様に、センシング部１３により、室内空気の温度及び湿度の検出を正確に行うことができる。
【００３５】
次に、第３のケースとして、図３に示すように、前記フック部１４，１４を吊下げ具として、例えば紐１７（あるいは吊り金具、ワイヤ等）をフック部１４，１４に掛けて額縁１６を吊り下げて取付けることもできる。この場合も、流通路の下端の流通口（筐体１２の下面）や上端の流通口１５（筐体１２の上面）が塞がれたりすることはないので、やはり、筐体１２内の流通路に対する室内空気の良好な流通が確保され、額縁１６を取付けない場合と同様に、センシング部１３により、室内空気の温度及び湿度の検出を正確に行うことができる。
【００３６】
このように本実施例の空調用センサ装置１１によれば、壁面Ｗに装飾のためにユーザが額縁１６を取付ける際に、筐体１２等の構造自体が、流通口１５を塞いで空気の流通を阻害するような不適切な取付け方をされることを抑制する効果に優れたものとなっており、額縁１６が取付けられた場合でも、額縁１６が取付けられない場合と同じように、流通路における室内空気の良好な流通を確保することができる。この結果、センシング部１３による室内空気の温度、湿度の高い検出精度を維持することができ、空調制御に悪影響を及ぼすことを未然に防止することができる。
【００３７】
特に本実施例では、前記フック部１４の先端部を上方に折曲げ、その先端の垂直状態に対する傾斜角度βを、前記所定角度αと同等又はそれより小さく構成したので、額縁１６の下辺部を受ける受け具として、或いは紐１７等を掛けるためのフックとしての機能を果たすに適した（額縁１６や紐１７が外れにくい）形状とすることができる。フック部１４の先端が正面方向を向いていないので、人等に対する安全性も高いものとなる。さらに本実施例では、センシング部１３を、流通路のうち上端の流通口１５近傍の正面側に位置して設けたので、空気の流れの最も良い部分にセンシング部１３が配置されることになり、室内空気の温度、湿度をより正確に検出できるといった利点も得ることができる。
【００３８】
次に、図４及び図５を参照しながら、本発明の第２の実施例について説明する。尚、上記した第１の実施例と同等の部分、例えば壁面Ｗ、額縁１６、センシング部１３等ついては、詳しい説明を省略し、以下、相違点を中心として述べる。また、上記第１の実施例と同様に、前後、左右、上下の方向をいう場合には、壁面Ｗに向かって見た状態を正面として述べることとする。
【００３９】
この第２の実施例に係る空調用センサ装置２１は、やはり、住宅の室内の垂直な壁面Ｗの所定高さ位置（人の身長あるいは顔程度の高さ）に、筐体２２の背面が宛がわれた状態で設置される。筐体２２内には室内の空気が上下方向に流通（対流）する流通路が設けられ、センシング部１３はその流通路の上部に臨んで配置され、室内空気の温度及び湿度を検出するようになっている。
【００４０】
さて、前記筐体２２は、例えばプラスチックから、背面、正面、上面２２ａ、下面、左右の側面を有する箱状に構成されているのであるが、そのうち背面は、四角形状をなし、前記壁面Ｗに宛がわれるようになっている。そして、筐体２２の上面２２ａは、壁面Ｗから前方に行くに従って（背面から正面に向けて）下降する傾斜面とされている。このとき、上面２２ａと背面とのなす角度γ（図４（ｂ）参照）は、２０°以上、７０°未満の範囲内、例えば４５°とされている。
【００４１】
筐体２２の正面は、背面つまり壁面Ｗに平行（垂直状態）とされ、筐体２２の下面は、水平面状とされている。筐体２２の左右の側面は、前記背面、上面２２ａ、正面、下面に対応した台形状をなしていることは勿論である。そして、前記流通路の下端の流通口が、前記筐体２２の下面において開口していると共に、図５（ａ）に示すように、該流通路の上端の流通口２３が、前記筐体２２の上面２２ａの傾斜面に、複数個の縦方向に長いスリット穴状に形成されている
上記構成の空調用センサ装置２１においては、ユーザが、室内（壁面Ｗ）の装飾性を高めるべく所望の額縁１６を飾る場合、図４に示すように、額縁１６の背面を筐体２２の正面に倣う（重ねる）ように取付けることができる。このケースでは、筐体２２の流通路の下端の流通口や上端の流通口２３が塞がれたりすることはなく、装飾のためにユーザによって額縁１６が取付けられた場合における筐体２２内の流通路の空気の流通（対流）を確保することができる。従って、額縁１６を取付けない場合と同様に、センシング部１３により、室内空気の温度及び湿度の検出を正確に行うことができる。
【００４２】
これに対し、ユーザが、所望の額縁１６を取付けるにあたり、図５に示すように、筐体２２の上面２２ａを台とすべく、額縁１６の下辺部を筐体２２の上面２２ａに載置しようとしても、筐体２２の上面２２ａは、壁面Ｗから前方に行くに従って下降する傾斜面とされているので、額縁１６の下辺部を載置した状態を維持することが難しくなる。このとき、流通路の上端の流通口２３が傾斜面である上面２２ａに、複数個の縦方向に長いスリット穴状に形成されていることにより、筐体２２の上面２２ａが、上下（前後）方向により一層滑りやすいものとなる。
【００４３】
このように、第２の実施例の空調用センサ装置３１によっても、額縁１６を取付ける際に、筐体２２の構造自体が、空気の流通を阻害するような不適切な取付け方をされることを抑制する効果に優れたものとなっており、額縁１６が取付けられた場合でも、額縁１６が取付けられない場合と同じように、流通路における室内空気の流通を確保することができる。この結果、センシング部１３による室内空気の温度、湿度の高い検出精度を維持することができ、空調制御に悪影響を及ぼすことを未然に防止することができる。また、筐体２２の上面２２ａに埃が溜まりにくくなるといったメリットも得ることができる。
【００４４】
尚、上記第１の実施例では、突出部として、細幅のフック部１４を２個設けるようにしたが、突出部としては、横幅の広い板状ものを設けても良く、その場合、筐体の下端部の中央部に１個だけ設けるようにしても良い。突出部を３個以上設けることも可能である。また、上記各実施例では、センシング部１３を流通路の上部に位置して設けるようにしたが、センシング部を設ける位置としては、流通路の下端部寄りであっても良い。その他、本発明は、上記した各実施例に限定されるものではなく、例えば、角度αや角度β、角度γ等の数値はあくまでも一例をあげたに過ぎず、実使用に応じて適宜変更することができる等、要旨を逸脱しない範囲内で適宜変更して実施し得るものである。
【図面の簡単な説明】
【００４５】
【図１】本発明の第１の実施例を示すもので、空調用センサ装置の筐体の正面に額縁を取付けた様子を示す斜視図（ａ）及び左側面図（ｂ）並びに要部の拡大側面図（ｃ）
【図２】筐体の上面に額縁を載置して取付けた様子を示す斜視図（ａ）及び左側面図（ｂ）
【図３】フック部に額縁を吊り下げて取付けた様子を示す斜視図（ａ）及び左側面図（ｂ）
【図４】本発明の第２の実施例を示すもので、空調用センサ装置の筐体の正面に額縁を取付けた様子を示す斜視図（ａ）及び左側面図（ｂ）
【図５】筐体の上面に額縁を載置しようとした場合の様子を示す斜視図（ａ）及び左側面図（ｂ）
【図６】従来例を示すもので、空調用センサ装置の筐体の正面に額縁を取付けた様子を示す左側面図
【図７】額縁が不適切な取付け方をされた様子を３種類について示す左側面図
【符号の説明】
【００４６】
図面中、１１，２１は空調用センサ装置、１２，２２は筐体、１２ａは正面、１３はセンシング部、１４はフック部（突出部）、１５は流通口、１６は額縁、２２ａは上面、２３は流通口、Ｗは壁面を示す。
【図１】
2010107088.tif 000003
【図２】
2010107088.tif 000004
【図３】
2010107088.tif 000005
【図４】
2010107088.tif 000006
【図５】
2010107088.tif 000007
【図６】
2010107088.tif 000008
【図７】
2010107088.tif 000009